(57)【特許請求の範囲】
【請求項１】
チューブ容器の口部下側から水平又は傾斜して延びる、多角形状のパネル部と、該多角形のパネル部と底辺を共通にし、頂点が下向きの三角形のパネル部と、該頂点が下向きの三角形のパネル部間に形成される、頂点が上向きの三角形のパネル部と、該頂点が上向きの三角形のパネル部と底辺を共通にする、下向きの舌片形又は多角形のパネル部とから構成される複数のパネル部を、肩部に形成したことを特徴とするチューブ容器。
【請求項２】
チューブ容器の口部下側から水平又は傾斜して延びる、多角形状のパネル部と、該多角形のパネル部と底辺を共通にし、頂点が下向きの三角形のパネル部と、該頂点が下向きの三角形のパネル部間に形成される、頂点が上向きの三角形のパネル部とから構成される複数のパネル部を有する肩部を、円筒状の胴部上に形成したことを特徴とするチューブ容器。
【請求項３】
前記チューブ容器の口部下側に形成される、多角形状のパネル部が、正四角形状のパネル部であることを特徴とする請求項１又は２記載のチューブ容器。
【発明の詳細な説明】
【０００１】
【発明の属する技術分野】
この発明は、チューブ容器内に収納された内容物のすべてを容易に押出すことができ、チューブ容器内に内容物が残らないチューブ容器に関する。
【０００２】
【従来の技術】
従来のチューブ容器としては、図８に示すものが一般的であり、現在市場に出回っている。すなわち、チューブ容器５０の肩部５１は、口部５２の下端を上底とし、胴部５４の上端を下底とした截頭円錐形状に形成されている。そして、胴部５４との接続箇所には、角張った角部５３が形成されると共に、この部位の肉厚は厚く形成されていた。
【０００３】
【発明が解決しようとする課題】
しかしながら、従来のチューブ容器５０にあっては、胴部５４を押圧すると、内容物は上方に移動し、肩部５１の角部５３近辺にも到達する。そして、チューブ容器５０の中心近辺の内容物がすべて押出された後において、角部５３近辺に存在する内容物が、チューブ容器５０内に相当量、残るという欠点があった。そして、この肉厚の厚い角部５３を、手で潰してこの近辺の内容物をすべて押出すためには、大きな指の力が必要であり、老人、女性、子供にとっては不可能であった。又、この角部５３近辺の内容物を残存した状態で廃棄することは、資源が無駄になるという欠点があった。
【０００４】
この発明は、このような従来の課題に着目してなされたもので、内容物のすべてを容易に押出すことができ、内容物がチューブ容器内に残らないチューブ容器を提供することを目的とする。
【０００５】
【課題を解決するための手段】
この課題を解決するため、請求項１記載の発明に対応する手段は、チューブ容器の口部下側から水平又は傾斜して延びる、多角形状のパネル部と、この多角形のパネル部と底辺を共通にし、頂点が下向きの三角形のパネル部と、この頂点が下向きの三角形のパネル部間に形成される、頂点が上向きの三角形のパネル部と、この頂点が上向きの三角形のパネル部と底辺を共通にする、下向きの舌片形又は多角形のパネル部とから構成される複数のパネル部を、肩部に形成したことを特徴とするチューブ容器である。
【０００６】
請求項２記載の発明に対応する手段は、チューブ容器の口部下側から水平又は傾斜して延びる、多角形状のパネル部と、この多角形のパネル部と底辺を共通にし、頂点が下向きの三角形のパネル部と、この頂点が下向きの三角形のパネル部間に形成される、頂点が上向きの三角形のパネル部とから構成される複数のパネル部を有する肩部を、円筒状の胴部上に形成したことを特徴とするチューブ容器である。
【０００７】
請求項３記載の発明に対応する手段は、チューブ容器の口部下側に形成される、多角形状のパネル部が、正四角形状のパネル部であることを特徴とする変形した肩部を有するチューブ容器である。
【０００８】
【発明の実施の形態】
次に、この発明の実施の形態を図面に基づいて説明する。図１〜図６は、この発明に係る第１実施の形態を示す図面である。第１実施の形態の特徴は、チューブ容器１の肩部２に、複数のパネル部５、６、７が形成されている点である。この第１実施の形態は、図１及び図３に示すように、口部３の下端から、水平又は傾斜して延びる、正四角形の１枚のパネル部４が形成されている。図１では、水平に延びる正四角形のパネル部４が明示されているが、山形に盛り上がるように、傾斜して下方向に延びて形成されてもよい。また、多角形のパネル部４は、三角形、五角形、六角形、八角形又は長方形等であってもよい。
【０００９】
次に、図３及び図４に示すように、この四角形のパネル部４の一辺と、底辺４ａを共通にする。頂部５ａが下向きの４枚の三角形のパネル部５が、パネル部４から下方向に折れ曲るように形成されている。そして、このパネル部５間には、頂部６ａが上向きの４枚の三角形のパネル部６が形成され、さらに、このパネル部６の底辺１０と、底辺を共通にする、４枚の舌片形のパネル部７が、下方向に形成されている。
【００１０】
図１において、パネル部７は舌片形であるが、その他三角形、台形等の多角形のパネル部７であってもよい（図示せず）。そして、図４に示すように、この第１実施の形態では、パネル部５の傾斜が急激に形成され、又パネル部５と胴部９との交差する角度８は、１５０度程度の鈍角に形成されている。
【００１１】
次に図７は、この発明に係る第２実施の形態を示す図面である。この第２実施の形態の特徴は、第１実施の形態から、舌片形又は多角形のパネル部７が省かれた点にある。その他、正四角形のパネル部４、頂部５ａが下向きの三角形のパネル部５、頂部６ａが上向きの三角形のパネル部６の構成は、第１実施の形態と同様である。なお、このチューブ容器１は、単層又は多層のブロー成形で造られる。
【００１２】
次に、この発明の作用について説明する。チューブ容器１に収納された内容物を押出す場合は、通常のチューブ容器１と同様に、胴部９を押圧して押出す。そして、最後にチューブ容器１の肩部２の近辺に残った内容物を押出す場合は、図５及び図６に示すように、パネル部６の底辺１０で折曲げるようにして、正四角形のパネル部４を指で折曲げて倒す。そして、正四角形のパネル部４を押圧することで、肩部２近辺の内容物が完全に絞り出される。なお、パネル部５と胴部９との傾斜角８は、１５０度以上の鈍角に形成されており、内容物が出易いように形成されている。したがって、老人、女性、子供でも容易に絞り出すことができ、チューブ容器１を、上から下まで完全に偏平にすることができ、内容物を１００％絞り出すことができる。
【００１３】
【発明の効果】
以上説明してきたように、この発明によればチューブ容器内に収納された内容物を、すべて押出すことができる。特に肩部近辺の内容物を、容易かつスムーズに残らず押出すことができる効果を有する。
【図面の簡単な説明】
【図１】この発明に係るチューブ容器の第１実施の形態を示す正面図。
【図２】第１実施の形態を示す図１のＡ−Ａ線断面図。
【図３】第１実施の形態を示す図１の平面図。
【図４】第１実施の形態を示す図３のＢ−Ｂ線端面図。
【図５】この発明に係るチューブ容器の第１実施の形態から、内容物を絞り出している状態を示す正面図。
【図６】この発明に係るチューブ容器の第１実施の形態から、内容物を絞り出している状態を示す側面図。
【図７】この発明に係るチューブ容器の第２実施の形態を示す正面図。
【図８】従来のチューブ容器を示す正面図。
【符号の説明】
１  チューブ容器
２  肩部
３  口部
４  ５  ６  ７  パネル部
４ａ  １０  底辺
５ａ  ６ａ  頂点
９  胴部
【図１】
0003823217.tif 000002
【図２】
0003823217.tif 000003
【図３】
0003823217.tif 000004
【図４】
0003823217.tif 000005
【図５】
0003823217.tif 000006
【図６】
0003823217.tif 000007
【図７】
0003823217.tif 000008
【図８】
0003823217.tif 000009